(57)【要約】  陽圧換気を受ける人に口腔ケアを行うための方法であって、当該方法は、自己閉鎖弁を有する陽圧マスクを提供する工程と、口腔ケアを行うために自己閉鎖弁を通じて口腔ケア器具を挿入する工程と、陽圧を維持する工程と、口腔ケアの処置を行う工程と、を備える。本発明はまた、陽圧マスクであって、キャビティを確定し、圧力下で着用者の顔に係合するように構成された周縁のシールを有する、マスク本体を含む。本体内のポートが加圧された空気を受容するように構成されている。自己閉鎖性のアクセス弁がキャビティに対し外部からの直接的なアクセスを提供するように構成されている。アクセス弁は、10ｍｍ以上の開放直径を有し、及び、5〜25ｃｍＨ２Ｏ（500〜2500Ｐａ）の圧力下で自己閉鎖する。
2018518350.tif 000002
【特許請求の範囲】
【請求項１】
陽圧換気マスクにより口腔ケアを提供するための方法であって、
キャビティを画定し、着用者の顔に接触するように構成された周縁のシール部を有する、マスク本体と、
前記キャビティへの外部からのアクセスを提供するアクセスポートと、
加圧空気を受容するための入口と、を含む陽圧換気マスクを提供する工程と、
アダプタを有する口腔ケア用器具を提供する工程であって、前記アダプタは、前記ポートと前記口腔ケア用器具との間にシールを提供するように構成されている、という工程と、
換気システムを用いて前記マスクを少なくとも２００Ｐａの圧力まで加圧する工程と、
弁を介して前記キャビティ内に口腔器具を導入し、口腔ケアの処置の際に、圧力を少なくとも２００Ｐａに維持する工程と、を備え、
前記器具の前記アダプタは、当該アダプタ無しで前記器具を挿入する場合と比較して、空気の漏れを減少させる、方法。
【請求項２】
前記口腔ケアの処置は、前記着用者の口の組織に洗浄剤を提供し、過剰な洗浄剤を吸引する工程を含む、請求項１に記載の方法。
【請求項３】
前記洗浄剤は、水またはマウスウォッシュである、請求項１または２に記載の方法。
【請求項４】
前記洗浄剤は、水及び抗菌剤を含む、請求項１〜３のいずれか一項に記載の方法。
【請求項５】
前記洗浄剤は、水及び保湿剤を含む、請求項１〜４のいずれか一項に記載の方法。
【請求項６】
前記器具は、毛及び／またはスポンジを含み、前記洗浄は、一部が、前記スポンジ及び／または毛を用いて行われる、請求項１〜５のいずれか一項に記載の方法。
【請求項７】
前記器具は、吸引装置を含む、請求項１〜６のいずれか一項に記載の方法。
【請求項８】
前記器具は、氷によって冷却された水を供給する、請求項１〜８のいずれか一項に記載の方法。
【請求項９】
前記口腔ケアまたは鼻ケアの処置が、鼻出血、鼻腔の潤滑化、及び／または鼻漏の処置を含む、請求項１〜８のいずれか一項に記載の方法。
【請求項１０】
前記換気システムは、バイレベルの陽圧換気を含む、請求項１〜９のいずれか一項に記載の方法。
【請求項１１】
前記ポートは、自己閉鎖弁を含む、請求項１〜１０のいずれか一項に記載の方法。
【請求項１２】
前記ポート内の弁を少なくとも５ｍｍの幅にて開放する工程を含む、請求項１〜１１のいずれか一項に記載の方法。
【請求項１３】
前記弁は、前記マスク本体内に組み込まれている、請求項１〜１２のいずれか一項に記載の方法。
【請求項１４】
前記弁は、圧縮空気のための流路内に組み込まれ、且つ、前記弁は、前記加圧空気の入口を介して前記キャビティへのアクスを提供するように構成されている、請求項１〜１３のいずれか一項に記載の方法。
【請求項１５】
前記器具のアダプタは、作動表面を収納する容器を含み、前記方法は、弁を介して前記作動表面を前記容器を用いて前進させる工程を更に含む、請求項１〜１４のいずれか一項に記載の方法。
【請求項１６】
口腔ケアまたは鼻ケアを提供するための換気マスクであって、
キャビティを画定し、圧力下で着用者の顔に係合するように構成された周縁のシール部を有する、マスク本体と、
加圧空気を受容するように構成された、前記換気マスク内のポートと、
前記キャビティへの外部からの直接的なアクセスを提供するように構成された前記ポート内の自己閉鎖式のアクセス弁と、を備え、
前記アクセス弁は、少なくとも１０ｍｍの開放直径を有し、５００〜２５００Ｐａまたは５〜２５ｃｍＨ２Ｏの圧力下で自己閉鎖する、換気マスク。
【請求項１７】
前記弁は、１つ以上のスリットを形成する複数のリーフレットを含み、前記自己閉鎖は、前記リーフレットへの圧力によって前記スリットが閉鎖することによって生じる、請求項１５に記載の換気マスク。
【請求項１８】
前記スリットは、少なくとも１０ｍｍの長さを有する、請求項１６に記載の換気マスク。
【請求項１９】
１０ｃｍＨ２Ｏの圧力での前記弁の漏れ率は、毎分７０リットル未満である、請求項１５に記載の換気マスク。
【請求項２０】
前記アクセス弁は、前記マスク本体内に位置付けられている、請求項１５に記載の換気マスク。
【請求項２１】
前記アクセス弁は、前記換気マスクの前記本体に接続された空気供給コネクタ内に位置付けられ、
前記空気供給コネクタは、前記換気システムから前記換気マスクまで加圧空気を供給するように構成された空気供給管を含み、
前記アクセス弁は、前記コネクタの外部から、及び、前記空気供給管を通じて、前記マスクの前記キャビティへのアクセスを提供する、請求項１５に記載の換気マスク。
【請求項２２】
前記空気供給管は、旋回式の接続部によって前記マスクに接続されている、請求項２０に記載の換気マスク。
【請求項２３】
請求項１５に記載の換気マスクと、口腔ケア用器具と、前記口腔ケア用器具に操作可能に連結された器具アダプタと、を更に備え、
前記器具アダプタは、前記弁を開放するように当該弁を通じて挿入されるように、及び、当該弁を介して前記口腔キャビティへのアクセスを提供するように、構成されている、請求項１５に記載の換気マスク。
【請求項２４】
前記器具は、スクラブブラシ、吸引装置、吸入器、または噴霧器からなるグループから選択される、請求項２２に記載の換気マスクシステム。
【請求項２５】
口腔ケア用器具、及び、陽圧マスク内の弁を通じて前記口腔ケア用器具を挿入するための器具アダプタと、を備えた口腔ケアのモジュールであって、
前記器具アダプタは、
換気マスクの弁を通じて挿入されるように構成された挿入部、前記弁に係合され、それとの間でシールを生成するシール部、及び、前記器具アダプタを手動で操作するように構成された外側部、を有する本体と、
前記本体内に形成され、前記口腔器具の作動部を受容するように寸法決め及び構成された、容器と、を備え、
前記容器は、前記本体の前記挿入部内の第１開口と、前記第１開口とは反対の第２開口と、を有し、前記第１開口は、前記器具の前記作動部を通過させるように寸法決め及び構成され、前記第２開口は、前記器具のシャフトの周りにシールを提供するように寸法決め及び構成されている、モジュール。
【請求項２６】
前記第２開口は、柔軟な膜内に位置付けられている、請求項２４に記載のモジュール。
【請求項２７】
前記膜は、保持リングを用いて前記本体上に保持されている、請求項２５に記載のモジュール。
【請求項２８】
前記器具は、前記容器内に受容されるように構成された、スクラブブラシまたは毛を含む、請求項２５に記載のモジュール。
【請求項２９】
前記器具は、吸引装置を有する、請求項２７に記載のモジュール。
【請求項３０】
請求項２７に記載のモジュールと、
洗浄剤を含む洗浄流体と、を備えたキット。
【発明の詳細な説明】
【技術分野】
【０００１】
本願は、口腔の気道アクセス装置及び関連する方法と題する、２０１５年６月２３日に提出された米国仮出願Ｎｏ．６２／１８３，７３３、及び、２０１５年１１月８日に提出された米国仮出願Ｎｏ．６２／２５２，５５７の利益を主張するものであり、及び、これらはここでの参照によって本願に取り込まれる。
【０００２】
本願発明は、非侵襲の陽圧マスクを用いて口腔アクセスを提供するための装置及び方法に関する。
【背景技術】
【０００３】
非侵襲の陽圧マスクが、低い酸素飽和度、睡眠時無呼吸症、及び他の関連する呼吸系の問題を有する患者のための医療分野において、近年使用されている。このマスクは、陽圧を用いて患者の顔に接触し患者の顔にシールを生成する周縁膜を、含んでいる。陽圧換気マスクの一例は、Ｋｗｏｋの米国特許６，５１３，５１６に開示されている。このタイプのマスクは、換気装置とともに使用されるとき、患者への挿管を必要とすることなく陽圧気流を提供でき、及び、気管への挿管を回避し得て、あるいは早期の抜管を許容する。
【０００４】
陽圧マスクは、顔の領域の周囲に効果的なシールを必要とし、使用者または患者が適切に配置するにはいくぶん難しく、あるいは時間を要する。ひとたび適切な位置に配置されると、陽圧マスクは、十分な呼吸を維持するのに必要な強制吸気の量を、提供する。数時間ないし数日で、マスクは、ドライマウスまたはドライノーズ、鼻づまり、鼻炎、鼻水、顔の刺激、鼻血、粘膜組織の乾燥、唇の感想、呼吸器感染症のリスクの増大、またはその他の口または鼻の気道を管理する上での問題、を引き起こす。
【０００５】
陽圧換気マスクは、睡眠時無呼吸症候群の治療にも、用いられる。この患者は、典型的には、深刻な病状ではないが、彼らは気道の乾燥による不便、及びマスクを外すこと無しには口の気道にアクセスできない、という恐れを抱いている。
【発明の概要】
【０００６】
本発明は、非侵襲の陽圧換気を必要とする患者への、口または鼻のアクセスを提供するための、陽圧換気マスク、アダプタ、器具、モジュール、及び方法に関する。本発明のいくつかの実施の形態は、口腔または鼻腔へのアクセスを提供するマスク内の弁を用いる装置及び方法を含む。弁は、好ましくは、圧力下で自己閉鎖性を有し、及び自己復帰性（非反転性）を有する。本発明のいくつかの実施の形態は、医療的に関連する呼吸支援を提供するのに、及び／または、患者の開いた気道を維持するのに、充分な圧力を維持しながら、患者に口腔ケアを行うことに関する。
【０００７】
本発明の一実施の形態は、陽圧換気マスクにより口腔ケアを提供するための方法に関する。本方法は、キャビティを画定し、着用者の顔に接触するように構成された周縁のシール部を有する、マスク本体を有する陽圧換気マスクを提供する工程を備えている。このマスクは、キャビティへの外部からのアクセスを提供するアクセスポートと、加圧空気を受容するための入口と、を有している。本方法は、前記ポートをシールするアダプタを有する口腔ケア用器具を提供する工程を更に備えている。本方法は、換気システムを用いて前記マスクを少なくとも２００Ｐａの圧力まで加圧する工程と、口腔ケア処置の際に、圧力を少なくとも２００Ｐａに維持する工程と、を更に備えている。
【０００８】
本発明の他の実施の形態は、口腔ケアまたは鼻ケアを提供するための換気マスクに関する。このマスクは、キャビティを画定し、圧力下で着用者の顔に係合するように構成された周縁のシール部を有する、マスク本体を備えている。マスク本体内のポートが加圧空気を受容するように構成されている。このマスクは、キャビティへの外部からの直接的なアクセスを提供するように構成された自己閉鎖式のアクセス弁を更に備えている。このアクセス弁は、少なくとも１０ｍｍの開放直径を有し、５００〜２５００Ｐａまたは５〜２５ｃｍＨ２Ｏの圧力下で自己閉鎖する。
【０００９】
本発明の他の実施の形態は、口腔ケアのモジュールに関する。このモジュールは、口腔ケア用器具、及び、陽圧マスク内の弁を通じて前記口腔ケア用器具を挿入するための器具アダプタと、を備えている。この器具アダプタは、換気マスクの弁を通じて挿入されるように構成された挿入部と、前記弁に係合され、それとの間でシールを生成するシール部と、を有している。外側部（例えばハンドル）が、器具アダプタを手動で操作するように構成されている。容器が本体内に形成され、口腔器具の作動部を受容するように寸法決め及び構成されている。この容器は、本体の挿入部内の第１開口と、第１開口とは反対の第２開口と、を有している。第１開口は、器具の作動部を通過させるように寸法決め及び構成されており、第２開口は、器具のシャフトの周りにシールを提供するように寸法決め及び構成されている。
【図面の簡単な説明】
【００１０】
【図１】弁アダプタを含み、着用者の顔に固定されるフルフェイスの陽圧マスクを示している。
【図２】図1のフェイスマスクのアクセスアダプタを示している。
【図３】図1のアクセスアダプタの拡大図である。
【図４】図1のアクセスアダプタの断面図である。
【図５】図1のアクセスアダプタのアクセス弁を示す、底面から見た斜視図である。
【図６】器具アダプタ及び吸引ブラシを含む器具モジュールを示している。
【図７】図6に示すモジュールの断面図である。
【図８】図6に示すモジュールの拡大図を示している。
【図９】図6のモジュールと図2のアクセスアダプタとの組立体を示している。
【発明の詳細な説明】
【００１１】
自己閉鎖弁を有する陽圧換気マスク
本発明のいくつかの実施の形態は、口腔または鼻腔へのアクセスを提供するために、マスク内の弁を用いる装置及び方法に関する。弁は、好ましくは、圧力下で自己閉鎖性を有し、及び／または及び自己復帰性（非反転性）を有する。弁は、マスク本体内、または弁アダプタ内に、配置され得る。一実施の形態では、弁アダプタは、マスクエルボーなどの空気供給コネクタ内に組み込まれた弁であり得る（図２）。
【００１２】
本発明の陽圧換気マスクは、キャビティを画定するマスク本体を含む。着用者の顔に係合してシールを形成するように構成された周状の柔軟な膜が、その本体に取り付けられている。陽圧を用いて患者の口及び鼻の周りをシールするのに好適な膜を有するマスクが、ＭｃＡｕｌｅｙによる米国特許第９，２９５，７９９号、Ｋｗｏｋによる米国特許第６，５１３，５２６号、及び、ＰａｕｌによるＤ４６４，７２８号に記載されている。これらの特許の全ては、参照によってここに取り込まれる。マスクは、エルボーのような空気供給コネクタを介して換気装置に流体的に連結されるように構成されている。本発明のマスクとともに用いられる換気装置は、好ましくは、バイレベルの圧力換気装置（あるいは代替的で連続的な圧力換気装置）である。バイレベルの換気は、典型的には、医療ケアを受ける患者にとって重要である。
【００１３】
図１は、マスク本体12を有する陽圧換気マスク10を示している。マスク本体12は、上部ストラップ14及び下部ストラップ16を用いて患者の頭部に固定されている。ストラップ14、16は、それぞれ、マスク本体のアイレット18、20に連結している。ストラップ14、16は、本体12の反対側の対応する位置（不図示）のアイレットに接続している。ストラップは、マスクを頭部に固定し、頭部に対するマスクの移動を防止して陽圧空気による処置を減じさせる空気の漏れを引き起こすことを、回避する。マスク本体12の周囲にて、マスク10は、弁アダプタ26を介して陽圧が換気システム24からマスク本体12内の開口28内へと供給されるときに、患者の顔にシールを形成し得るフラップを有する柔軟な膜22（すなわちクッション）を有している。マスク本体12のキャビティは、当該マスク本体と患者の顔との間で陽圧室を形成する。
【００１４】
図２〜４は、弁アダプタをより詳細に示している。弁アダプタ26は、上部ハウジング52及び下部ハウジング54から形成されるアダプタ本体50を含んでいる。アクセス弁42が、固定リング46を用いて上部ハウジング52に固定されている。アダプタ26は、開口36を開放及び閉鎖するためのフラップ48を用いる、窒息防止用の弁を更に有している。本発明の目的のため、異なる旨を説明ないし示唆しない限り、「弁」それ自身は、「アクセス弁」を意味する。
【００１５】
弁アダプタ26は、空気供給流路を含むエルボー型の空気供給コネクタである。空気供給流路は、入口30と出口34との間に延在し、内部領域56a、56b、56cを含んでいる（図3）。弁42は、外部開口44（すなわちポート44）及び流路の領域56cを通じて、着用者の口及び鼻へのアクセスを、提供する。
【００１６】
弁アダプタ26によって提供される空気供給路は、陽圧空気の源（例えば換気ホース）から、換気マスク10のキャビティまで、加圧空気を供給するように構成されている。入口30内の空気圧力は、領域56aと56bとの間に流体の通流を提供するように、フラップ弁を開放させる。領域56aと56bとの間の空気の流れは、座部58に対して位置付けられることにより、開口36を閉鎖するように、フラップ48を上方に位置させる。空気流が領域56aと56bとの間で止まった場合には、空気が入口30を通じて（つまり領域56aから56へと）逆流することを防止するように、フラップ48が開口64に落ち込む。フラップ48は、換気装置からの空気の供給が中断された場合に、雰囲気から（開口36を通じて）空気が取り込まれることを許容することによって、窒息を回避する。
【００１７】
弁アダプタ26は、陽圧空気の供給ホース（不図示）を弁アダプタ26の入口30に流体的に接続するように機能する、第1押圧嵌合コネクタ28を、有している。第2押圧嵌合コネクタ32が、弁アダプタ26の出口34とマスク本体12の入口を流体的に接続するように機能する。この嵌合接続は、器具がアダプタ（図7）内に位置付けられ弁42から引き出される際に、押圧嵌合が空気供給コネクタとマスクとの接続を維持するように十分にきつくなるように、構成されて良い。
【００１８】
アダプタ26は、好ましくは、マスク本体26に対して揺動し、アダプタ26に接続されたホースが、マスクを捻らなくとも再び方向付けられ得るようになっている。任意の揺動機構が用いられ得る。揺動機構は、マスク本体、弁アダプタ、またはそれらの間の接続部に、組み込まれていて良い。
【００１９】
除去できない接続や迅速に解除可能な接続を含む、押圧嵌合以外の接続も、弁アダプタとマスクまたは換気システムとを接続するために使用され得る。
【００２０】
弁アダプタ26は、ステム38上に圧力ポート40を含んでいて良い。圧力ポート40は、弁アダプタ26内の圧力変化を監視するために用いられる、領域56bと通流する小さな開口を、含んでいる。圧力の変化は、マスクの着用者がいつ息を吸っているのか、あるいは吐いているのかを検知するために用いられ得る。バイレベルの圧力換気装置は、呼気時により低い圧力を提供し、吸気時に増大された圧力を提供するように、圧力ポート40を用いることができる。圧力ポート40は、アダプタ26と関連付けられていることは必要とされないが、むしろマスク本体12内に位置付けられ得る、あるいはその両方であって良い。
【００２１】
本発明の換気マスク（アダプタ26を含む）は、自己閉鎖性のアクセス弁を用いる。自己閉鎖性のアクセス弁は、患者の口または鼻に直接的な外部アクセスを許容する（マスクを通じて口または鼻にアクセスする）ように、マスク上のいずれの位置にも設けられ得る。アクセス弁は、口腔ケア、または、自己閉鎖性を有しない弁を通じて挿入された場合には過大な漏れを引き起こすであろう器具の挿入、を行うために充分な開口直径を有している。自己閉鎖弁内の開口の直径は、少なくとも10、15または20ｍｍであり得て、及び／または、30、25、20ｍｍ以下であり得て、及び／または、これらの範囲内であり得る。これらの開口の直径は、5〜25ｃｍＨ２Ｏ（500〜2500Ｐａ）の圧力下で自己閉鎖性である弁を用いて、達成され得る。いくつかの実施の形態では、アクセス弁内の開口は、１つ以上のスリットによって提供され得る。スリットの長さは、開口の幅の最大値を与えて良い。いくつかの実施の形態では、弁は、２本のスリットを含み得て、これらのスリットは交差スリットであって良い。
【００２２】
自己閉鎖を促すため、アクセス弁は、内方に傾斜した壁または凹部を含んでいて良い。弁は、ダックビル弁（duck bill valve）またはドーム型の弁であって良い。弁は、リーフレットを形成する穿孔を含んでいて良い。弁は、複数のリーフレットを含んでいて良い。リーフレットは、外部から器具または器具アダプタによってプッシュオープンされるように構成されていて良く、及び、内部から圧力によって共に押圧されるようになっていて良い。ダックビル弁は、複数のリーフレットを有していて良い。図５は、交差スリット及び複数のリーフレットを説明するために、弁42を拡大して詳細に示す底部斜視図である。弁42は、２本のスリット60a及び60bと、４つのリーフレット62a、62b及び62cと、を含んでいる（図５において第４のリーフレットは視認し得ない）（正確にはスリット60及びリーフレット62がそれぞれ参照される）。
【００２３】
ドーム弁が用いられる場合、ドームは、中央の開口で薄く、縁に向かってより大きな厚みとなるように傾斜した、斜面状の厚みを有していて良い。斜面（テーパ）は、穿孔の中央の縁部と比較して、専攻の横方向の縁部において、１．２、１．５または２倍より大きな厚みの変化を含んでいて良い。斜面は、中央においてより簡単に弁が開くことを許容して良い。
【００２４】
好ましい実施の形態では、弁は、それが逆になった場合、それ自身で元に戻る（自己復帰性を有する）。本発明の目的のため、自己復帰弁は、反対にされた際に弁がその自己閉鎖位置に戻ることを引き起こす材料及び構成を有している。したがって、器具が弁から引き抜かれ、リーフレットまたは他の構成が反対になったとき、ひとたび力が取り除かれると、自己復帰弁はその自己閉鎖位置に復帰する。必ずしも必要ではないが、弁は、自己復帰を促進させるために、凹状であって良く、及び／または、シリコン材料（または類似の材料）から作られていて良い。一実施の形態では、弁は、その中央が5、4、3、または2ｍｍ未満の厚さの材料の層を有している。
【００２５】
アクセス弁、及び／または、１つ以上のアクセス弁および窒息防止弁の組合せ、ならびに、マスクは、マスクが少なくとも5、10もしくは15ｃｍＨ２Ｏの気圧、及び／または、25、20もしくは15ｃｍＨ２Ｏ未満の気圧、及び／または、これらの範囲内の気圧にあるとき、漏れ率が、70、50、40、30または20リットル毎分（「ｌｐｍ」）未満、及び／または、2、5、7または10ｌｐｍより大きい、及び／または、これらの範囲内、にあるように構成されて良い。本発明の目的のため、漏れ率が計測される。
【００２６】
いくつかの実施の形態では、弁は、当該弁を介して器具または器具アダプタの挿入を容易にするため、生体適合性の潤滑剤を含んでいて良い。アクセス弁及び／または潤滑剤は、抗菌成分（例えばクロルヘキシジン）を含んでいても良い。
【００２７】
陽圧下で口腔／鼻腔の処置を行うための、器具、アダプタ、モジュール、及びキット
本発明のいくつかの実施の形態は、陽圧マスク上のポート（例えば、アクセス弁42）に嵌合するように構成されたアダプタを有する器具であって、当該アダプタは、器具が使用されている間に医療的に妥当な陽圧を維持するのに十分なシールを提供する、という器具（例えば、スクラブブラシ、吸引装置）に関する。この器具アダプタは、当該器具アダプタ無しでポートを介して器具を挿入することと比較して、マスクポートから器具を挿入することによって引き起こされる漏れの量を減少させる。シーリング構造は、膜、ガスケット、または適切な寸法にされ、器具の構造体（例えば、シャフトまたはチューブ）に係合するように構成された、開口であって良い。
【００２８】
ポートは、好ましくは、自己閉鎖性のアクセス弁（例えば、ここで説明されたような自己閉鎖性及び自己復帰性のアクセス弁）を含み、アクセス弁をシールするために器具アダプタと係合するように構成される。自己閉鎖弁をシールするアダプタを用いることで、マスク内に同じタイプの弁を有する特定の器具に適合された異なるアダプタの使用が許容される。マスク内の同じ自己閉鎖性のアクセス弁は、多数の異なる処置及び器具にとって便利であり得る。この柔軟性は、重要である。というのは、患者に施される必要がある特定の処置は、マスクが取り付けられるときには未知であり、緊急の状況において異なる処置が必要となり、その際にマスクを取り外すことは医療的に望ましくないからである。
【００２９】
さらに、または代替的に、器具アダプタは、特定の器具のまわりをシールするように寸法決めされ構成された柔軟な膜を有していて良い。器具のまわりの柔軟な膜は、器具が膜を伸長することによって操作されることを許容する。膜の撓み性能は、広範な操作を必要とする処置（例えば、多くの口腔ケアの処置）を実行できるために、重要である。膜は、本体に連結された独立した断片であり得る、あるいは、膜は、一体物であって良い（すなわち、膜は、器具と一体の単一の射出成形品である。しかし、膜は、柔軟性を提供するために、本体の残り部分と比較して薄く作られる）。
【００３０】
自己閉鎖弁を用いて器具アダプタをマスクに連結する際、器具アダプタは、スポンジなどの圧縮可能な材料を収納するための収容部を有していて良い。この収容部は、当該材料を圧縮すること無しで、自己閉鎖弁を介するアクセスを提供して良い。
【００３１】
器具アダプタは、器具が、弁の圧力から保護された弁アダプタを通過することを許容する。例えば、器具は、弁の内部で押しつぶされることから保護されるスポンジを、含んでいて良い。器具アダプタは、複数の器具が、それらの上に依然として流体を有しているとき、当該器具が挿入され及び引き抜かれることを許容し得る。
【００３２】
図６〜８は、器具モジュール104を形成するように、口腔ケアの吸引ブラシ80に組み付けられた器具アダプタ70の一例を示している。器具アダプタ70は、アダプタ本体72を含んでいる。アダプタ本体72は、保持リング76によって保持された膜74を受容する。保持リング76は、本体72に連結し、及び、それらの間に膜74を位置付ける。器具の膜74は、吸引ブラシ80のような器具のシャフトを受容するための開口81を有している。器具本体72は、アクセス弁42を通過するように構成された収容部86を有している。収容部86は、マスクの内側に開口を提供する。収容部86は、器具のワーキングピース（例えば、シャフト上のスポンジ）を格納するように構成されている。
【００３３】
アダプタ本体72は、モジュール104が弁アダプタ26内に挿入される際にシールを提供するように構成されたシール構造部（例えば、リム部）を、更に有している。リング部78が、器具アダプタ70を把持するためのハンドルを提供する。
【００３４】
シーリング構造体82は、取外し可能に係合し、弁と共にシールを形成する、というように構成されている任意の構成を有していて良い。一実施の形態では、シーリング構造体82は、アダプタ70から除去する際に最小の摩擦にて弁42に対してシールを提供するための環状のバンプ84を含んでいて良い。環状のバンプ84は、弁42の壁部、または、弁アダプタ26もしくは弁46の他の特徴部分（例えば、弁42またはリング46上の環状のバンプ）、に係合して良い。一実施の形態では、器具アダプタが弁42の鉛直部分と10°、5°、2°、1°未満の角度で係合する。器具アダプタ70が係合する弁42の鉛直部分は、少なくとも3ｍｍ、5ｍｍ、7ｍｍまたは10ｍｍであって良い。
【００３５】
吸引ブラシ80は、シャフト88と、ハンドル部90と、ブラシ部94と、を含む。ハンドル部は、吸引源を出口96に取り付けるためのコネクタを含んでいる（すなわち、負圧によって空気が出口96から引き抜かれる）。
【００３６】
シャフト88は、吸引開口98から出口92まで延在する吸引チャネル100を有している。吸引開口98と出口92との間の流路は、吸引バイパスポート102により通流状態にある。開口98を介しての吸引は、ポート102を閉鎖する（例えば、指で開口を塞ぐ）ことによって、選択され得る。ポート102を閉鎖することによって、吸引が吸引開口98向けられる。吸引ブラシによる吸引機構は、様々であって良い。例えば、バイパスではなく、ハンドル90が解放及び閉鎖のスイッチを含んでいて良い。更に、シャフト88は、ブラシ領域内で、またはブラシ領域の近位で、１つ以上の異なる位置から吸引するための、追加の、または異なる開口を、含んでいて良い。
【００３７】
器具アダプタは、内視鏡と共にシールを形成するように構成されたシール構造部（例えば、ガスケット、膜、または適切に寸法が決められた開口）を含む、内視鏡アダプタであって良い。内視鏡は、マスク内の圧力が維持されている間に、上部消化管内視鏡（EGD）術を行うために使用され得る。内視鏡を収容するための器具アダプタ内の開口は、少なくとも8ｍｍ、10ｍｍまたは12ｍｍであり、及び／または、15ｍｍ、13ｍｍまたは11ｍｍ未満、及び／または、それらの最大寸法と最小寸法の範囲内、であって良い。
【００３８】
本発明において使用され得る他のタイプのアダプタは、ポート内に位置付けられた際に特定の漏れ率を有するように構成された一連のリークアダプタ（例えば、自己閉鎖弁）である。選択された漏れは、アクセス弁、空気供給コネクタ、またはマスク本体に関連して特別に形作られたアダプタの構造を用いて、引き起こされ得る。アダプタは、穴、スリット、または特定のマスクに接続された際に特定の割合で漏れを生じるように構成された他の構造、を有していて良い。
【００３９】
本発明の他の実施の形態は、吸入器のアダプタに関する。吸入器のアダプタは、吸入器のケースの源に連結するためのコネクタと、陽圧マスクに連結するための第2コネクタと、を有している。例えば、器具アダプタ70が使用されて良く、その後、吸入器に連結するために修正（改変）される。吸入器への連結は、この技術分野において知られている任意の技術であって良い。
【００４０】
図９は、モジュール104及びベンアダプタ26の操作について示している。器具アダプタ70は、アダプタ2の弁42の内部に挿入され、アダプタ70のシーリング構造体82が、弁42と共にシールを形成する。構造体82は、弁アダプタ26内で器具アダプタ70を保持するための所望の摩擦を生成するための環状のバンプを含んでいて良い。あるいは、弁42の内面がシールを提供するため、器具上のバンプに係合する環状のバンプ（不図示）を有していて良い。
【００４１】
収容部86は、当該収容部を収容する弁に開口を形成するために、スリット60を開き、及び、リーフレット62（図５には示されていない）を撓ませ、これによってスポンジ94がその内部に格納される。収容部86は、器具アダプタ70の挿入部を形成する。
【００４２】
収容部86は、開口端の対向膜74を有している。開口端は、器具の作用面（例えばスポンジ94）がそこを自由に通過することを許容するように構成されている。開口端は、5ｃｍ、10ｃｍ、15ｃｍまたは20ｃｍからの範囲の、及び／または、40ｃｍ、35ｃｍ、30ｃｍ、25ｃｍまたは15ｃｍ未満の、及び／または、これらのいずれかの範囲内の、直径を有していて良い。
【００４３】
器具は、弁及び／または弁アダプタの追加的な厚さを収容するため、従来の対応する器具より長いシャフトを有する必要があっても良い。
【００４４】
使用時に、弁アダプタ26は、領域56cにてマスク本体と流体的に接続し、及び、入口30にて換気装置から供給される陽圧空気と流体的に接続し、更に、フラップ弁48が入口30と出口34との間の流路を空けるために上方に移動する。
【００４５】
スクラブブラシ80は、吸引ブラシ80のシャフト周りに膜74がシールを生成している間に、弁アダプタ26の領域56cを介して患者の口の中に前進され得る。収容部86が領域56c内の空間を完全には塞いでいないため、気流、したがって陽圧が、マスクと患者の顔との間の空間を連続的に加圧し得る。流体は、スポンジ94で口まで供給され、吸引ブラシ80を通じて口から流体を除去するために吸引が行われる。膜74が柔軟であるため、かなり良好なシールを維持しながら、吸引ブラシ80は異なる方向において操作され得る。
【００４６】
スポンジ94を取り除くため、スポンジ94が収容部86内に再び収納されるまで、スクラブブラシ80が引き抜かれる。弁アダプタ70が弁42から取り除かれると、領域56c内の陽圧が弁42のリーフレット62を押圧することでスリットが閉鎖され、弁42が、自己閉鎖する。使用者が収容部86内へとスポンジ94を完全に抜き取らず、スポンジがリーフレット62上に捕捉されて弁が逆にされる場合、リーフレット62の構成及び弾力のある材料が、陽圧換気のためにここで説明した圧力下で、それ自身で復帰（すなわち、自己復帰）させる。
【００４７】
以上のマスク、弁、モジュール及び／または器具は、陽圧換気マスクを着用した患者の口の気道または鼻の気道を洗浄するための口腔ケアまたは鼻腔ケアを、提供することができる。
【００４８】
本発明の器具アダプタは、自己閉鎖弁及び自己復帰弁を有して示されているが、異なる旨が記載されていないかぎり、本発明の実施の形態は、器具、及び、単なる開口と取り外し可能なキャップなどを有するポートに取り付けられるように構成されている器具アダプタ、を用いて圧力下で口腔アクセス処置を行うことをも含んでいる（たとえば、Bayasiによる米国公開特許2010／0116276参照）。
【００４９】
ここで説明される複数の器具は、器具アダプタでパッケージされていてもよく、及び／または、共に組み付けられ及び／またはパッケージされて良い。器具アダプタと器具との間のシールが器具に特有であれば、器具アダプタは、典型的には、器具に仮組みされることが必要である。例えば、吸引ブラシが、一方の端部上にハンドルを有し、チューブの他方の端部にスポンジブラシを有していて良く、及び、シールがチューブに係合する必要がある。いくつかの場合において、器具アダプタと対応する器具アダプタとの仮組みは、特定の処置を行う際に正しいアダプタを探す必要を避けるために、必要である。例えば、内視鏡の処置を行うとき、麻酔を導入するために使用される器具は、施術者が麻酔を導入するための器具を使用する必要があるが、器具アダプタが利用可能な状態になっていない、という状況を回避するために、アダプタに最善に組み付けられる。しかしながら、器具が高価であり使い捨てでない（例えば内視鏡）場合、組み込むことの利点にもかかわらず、器具アダプタの組み込みが実際的ではないであろう。
【００５０】
陽圧を維持しながら患者を処置する方法
本発明のいくつかの実施の形態は、医療的に関連する呼吸支援を提供するために、及び／または、患者の気道の開状態を維持するために、十分な圧力を維持しながら患者に口腔ケアを行う陽圧を維持している間に処置を行うための、口の気道へのアクセスに関する。
【００５１】
（i）口腔ケア
本発明は、非侵襲の陽圧換気マスクを介した口腔ケアを提供するための方法に関する。本方法は、（i）陽圧換気マスクを提供する工程であって、当該マスクは、キャビティを画定し、着用者の顔に係合するようになっている周縁のシールを有する、マスク本体と、キャビティに外部からのアクセスを提供するアクセス弁と、加圧された空気を受容するための入口と、を有している、という工程と、（ii）換気システムを利用して少なくとも200Ｐａの圧力まで（あるいは、1、2、5、10または15ｃｍＨ２Ｏ以上、及び／または、35、30、25、20、15ｃｍＨ２Ｏ未満、及び／または、これらの圧力のいずれかの範囲内の圧力まで）加圧する工程と、（iii）弁を通じてキャビティ内に口腔器具を導入し、及び、口腔ケアまたは鼻腔ケアの処置を行う間に圧力を200Ｐａ以上（あるいは、圧力を2、5、10または15ｃｍＨ２Ｏ以上、及び／または、35、30または25ｃｍＨ２Ｏ未満）に維持する、という工程と、を備えている。
【００５２】
好ましい実施の形態では、バイレベルの換気装置が使用され、換気装置の２つの異なる圧力は、2、4、6または8ｃｍＨ２Ｏ以上、及び／または、20、15または10ｃｍＨ２Ｏ未満、異なっている。
【００５３】
マスクと係合し十分なシールを維持するアダプタを器具に提供することによって、または、器具の周りをシールする弁を提供することによって、あるいはこれらの両方によって、望ましい圧力が維持される。例えば、いくつかの実施の形態では、ここで示されている自己閉鎖弁及び／または自己復帰弁が口腔ケアを実行するために使用され得る。あるいは、または更には、ここで説明される器具アダプタが、取り外し可能なキャップを有するポートと共に用いられ得る（例えば、Bayasiによる米国特許出願第2010／0116276号参照）。いずれの場合においても、好ましくは、弁の開口またはポートは、口腔キャビティの上に位置付けられ、及び／または、口腔の洗浄を容易にするためにかなり広い開口を有する（例えば、上述した寸法）。洗浄は、適正に行われるためにかなりの操作が必要である。
【００５４】
いくつかの実施の形態では、口腔ケアの処置は、口腔の少なくとも一部に洗浄流体を適用し、過剰な洗浄流体を吸引する工程を含む。洗浄流体は、水、マウスウォッシュまたは歯磨き用のペーストであって良い。洗浄流体は、創傷清拭剤または抗菌剤を含んで良い。例えば、洗浄流体は抗菌剤（例えば、塩化セチルピリジニウム）の溶液を、口腔を洗浄するのに十分な濃度で含んでいて良い。例えば、抗菌剤は、少なくとも0.01、0.01、0.05、または0.1、または0.5％、及び／または、1.0、0.5、または0.1％未満、あるいはこれらの範囲内の濃度で添加されて良い。本発明の目的のため、（例えば挿管を行うために）喉を麻痺させるのに好適な麻酔は、ここで説明される口腔ケアを行うための好適な「洗浄流体」ではない。
【００５５】
口腔を洗浄するとき、洗浄流体は、典型的には、口の表面の大部分に適用される。一実施の形態では、洗浄流体は、少なくとも歯茎及び／または歯の少なくとも一部に適用される。
【００５６】
洗浄流体は、容器で提供されて良く、スティック上のスポンジがある量の溶液を吸収するためにこの容器内に浸漬されて良い。スポンジおよび流体は、その後、マスク内の弁を介して口腔内に挿入され、スポンジが、患者の歯、歯茎、舌及び／または頬を含む患者の口の表面をこするために、使用される。
【００５７】
いくつかの実施の形態では、流体は、吸引器をも含む器具を用いて供給されても良い。表面がスポンジ及び流体を用いて擦られ、その表面上に絞り出された流体は、器具のシャフトを通じて吸引され得る。一実施の形態では、器具は、器具が使用されている際に洗浄を行う使用者がいつ吸引を適用するかを選択できるように、選択可能な吸引コントローラを含み得る。例えば、器具は、吸引チャネルへのアクセスポートを有し得て、そのポートは、解放されることができ、及び、使用者が自身の手で覆うことによって閉じることができる。
【００５８】
いくつかの実施の形態では、器具は、表面（例えば歯）のより厳密な洗浄のために、毛を含んでいて良い。
【００５９】
弁を通じて挿入される器具は、剛性を有するまっすぐなシャフトを有しており、シールを維持している間にシャフトが器具アダプタ内を移動することが許容されている。しかしながら、いくつかの実施の形態では、シャフトは、歯の内側表面に容易にアクセスすることを許容する曲がり部を有していても良い。
【００６０】
洗浄剤は、水、または、歯磨き用ペーストあるいは他の担体を有するマウスウォッシュであり得る。しかしながら、スポンジの器具が望まれる場合には、洗浄剤は、好ましくは流体である。
【００６１】
代替的に、または追加的に、本方法は、口腔または鼻腔に湿潤剤を適用する工程を含んでいても良い。いくつかの実施の形態では、湿潤剤は、保湿剤（例えばメチルセルロース）を含んでいて良い。いくつかの実施の形態では、湿潤剤は、氷または氷水を含んでいて良い。
【００６２】
本方法は、洗浄または湿潤の目的のために口または鼻に適用するのに好適であると知られている任意の抗菌剤または保湿剤を適用する工程を含み得る。流体が適用される場合、その流体を好適に供給する器具は、吸引部を含んでいて良い。吸引のための器具の使用は、処置の間に陽圧が維持されるために重要であり、及び、過剰な流体を吸い込んでしまうことを回避するために重要である。
【００６３】
いくつかの実施の形態では、本方法は、鼻出血の処置、鼻腔の潤滑化、及び／または鼻漏の処置を含む、鼻の処置である。器具は、かゆみ、刺激または不快感を処置するために使用されても良い。例えば、スティック上のスポンジが肌を穏やかにこする（掻く）ために使用され得る。
【００６４】
陽圧を提供するために使用される換気システムは、容積換気装置、圧力制御換気装置、バイレベルの陽圧通気装置、連続的な陽圧通気装置、定圧装置、自動陽圧通気装置、及び呼気の陽圧通気装置を含む、既知の任意のものであり得る。
【００６５】
口腔ケアまたは鼻腔ケアの処置の間の圧力は、器具が弁内で使用されている間、患者にとって受容可能な値、例えば、300Ｐａ、400Ｐａ、500Ｐａ、または600Ｐａ以上、及び／または、5000、4000、3000Ｐａ未満、及び／または、これらの範囲内、に維持される。
【００６６】
適正な口腔ケアを行うため、弁は、適切な直径の開口を有している。一実施の形態では、弁は、5、10、15、20または25ｍｍ以上、及び／または、60、50、40、30または20未満、及び／または、これらの寸法の範囲内、の直径を有する開口を有している。マスク内にて器具を使用している間、弁は、前述した範囲内の幅まで解放され得る。
【００６７】
本方法は、好ましくは、マスクの本体内に組み込まれた弁を伴って実行されて良い。あるいは、弁は、マスクの入口に加圧空気が流入する流路内に組み込まれて良く、及び、弁は、加圧空気の入口を通じてキャビティへのアクセスを提供するように構成されている。
【００６８】
従来技術に示されている洗浄または湿潤の方法とは異なり、本発明による方法は、マスクを取り外すことなく、及び、換気装置にとって最大の漏れ率を超過することなく、実行され得る。このアプローチが実質的な利益を提供することは、本件発明者によって特定され認識されている。例えば、使用の間に好適なシールを維持することによって、口腔ケアアダプタは、口腔ケアのためにマスクを取り外すことができないほどに重篤な患者に対して使用され得る。更に、口腔ケアが、（呼吸療法士または医師も口腔ケアを行うことができるが）呼吸療法士によってではなく、患者によって自ら、または看護師によって、実行され得る。患者及び看護師によって使用され得るシステムを促進することによって、ケアの提供者が、ケアのコストを実質的に上昇させること無しで定期的に口腔ケアを行うのに十分なリソースを有し得る。
【００６９】
本発明の他の実施の形態は、圧力下で上部消化管内視鏡（EGD）の処置を行うことに関する。本方法は、（i）キャビティを画定し着用者の顔と係合するように構成される周縁のシールを有するマスク本体と、キャビティに外部からのアクセスを提供するアクセス弁と、加圧空気を受容するための入口と、を有する陽圧換気マスクを提供する工程と、（ii）マスクを喚起システムを用いて200Ｐａ以上の圧力にする（あるいは、1、2、5、10または15ｃｍＨ２Ｏ以上、及び／または、35、30、25、20、15ｃｍＨ２Ｏ未満、及び／またはこれらのいずれかの範囲内にする）工程と、（iii）弁を通じてキャビティ内に内視鏡を導入し、EGD処置を行っている間、少なくとも200Ｐａ（あるいは1、2、5、10または15ｃｍＨ２Ｏ以上、及び／または、35、30、25、20、15ｃｍＨ２Ｏ未満）の圧力に維持する工程と、を含む。内視鏡は、吸引部、及び、１つ以上の作動チャネルを有し、8ｍｍ以上の直径を有する。内視鏡は、器具アダプタを含んでいて良い。器具アダプタは、マスクの入口と係合するように、及び、所望の圧力を維持しながら、当該内視鏡が器具アダプタ及びマスクを介して患者の気道内で前進すること及び／または操作されることを許容しながら内視鏡をシールするように、構成されている。
【００７０】
さらに他の実施の形態では、本発明による方法は、ここで説明されたマスク及び／またはアダプタを介して挿管を行うことに関する。本方法は換気装置の陽圧を用いて少なくとも部分的に開状態が維持された気道を通じて気管支鏡を前進させる工程を含み得る。
【００７１】
本発明の他の方法は、ここで説明されたマスクに噴霧器を接続する噴霧器アダプタを用いて、患者に噴霧する工程に関する。噴霧されるガスは、換気回路の材料に吸収されることなく患者のマスク内に導入され、且つ、より集中して正確に計量された添加剤内により迅速に供給される。噴霧器アダプタは、患者への気流を中断することなく、接続及びその解除がなされ得る。
【００７２】
上述したいずれの方法も、弁を通じて器具を供給するための器具アダプタを用いて実行され得る。本発明は、様々な材料を用いて様々なマスク及び／またはアダプタに組み込まれ得る。本発明の一実施の形態による弁を含むように適合され得る陽圧マスクの例が、Fuらの米国特許2009／0194111、及び、Bayasiによる米国特許2010／0116276に示されている。本発明による方法は、ここで説明された新規のマスク及びマスクシステムには限定されない。例えば、本方法は、Lehmanによる米国特許6,792,943号または米国特許第8,365,734号のマスクを用いて実行され得る。前述した特許及び出願は、本発明の特徴に組み合わせて使用され得るマスクおよび構成部品についての教示、及び、ここで説明された方法を実行するための用途、を参照することによって、ここに取り込まれる。
【図１】
2018518350.tif 000003
【図２】
2018518350.tif 000004
【図３】
2018518350.tif 000005
【図４】
2018518350.tif 000006
【図５】
2018518350.tif 000007
【図６】
2018518350.tif 000008
【図７】
2018518350.tif 000009
【図８】
2018518350.tif 000010
【図９】
2018518350.tif 000011
【手続補正書】
【提出日】平成30年2月27日(2018.2.27)
【手続補正１】
【補正対象書類名】特許請求の範囲
【補正対象項目名】全文
【補正方法】変更
【補正の内容】
【特許請求の範囲】
【請求項１】
陽圧換気マスクにより口腔ケアを提供するためのシステムであって、
キャビティを画定し、着用者の顔に接触するように構成された周縁のシール部を有する、マスク本体と、
前記キャビティへの外部からのアクセスを提供するアクセスポートと、
換気装置からの加圧空気を受容するための入口と、を有する陽圧換気マスクと、
口腔ケア用器具であって、前記換気装置からの２００Ｐａの圧力にて前記ポートと当該口腔ケア用器具との間にシールを提供するように構成されたアダプタを有する、口腔ケア用器具と、を備え、
前記器具の前記アダプタは、当該アダプタ無しで前記器具を挿入する場合と比較して、空気の漏れを減少させる、システム。
【請求項２】
洗浄剤を更に備えた、請求項１に記載のシステム。
【請求項３】
前記洗浄剤はマウスウォッシュである、請求項２に記載のシステム。
【請求項４】
前記洗浄剤は、水及び抗菌剤を含む、請求項２または３に記載のシステム。
【請求項５】
前記洗浄剤は、水及び保湿剤を含む、請求項２〜４のいずれか一項に記載のシステム。
【請求項６】
前記器具は、毛及び／またはスポンジを含む、請求項１〜５のいずれか一項に記載のシステム。
【請求項７】
前記器具は、吸引装置を含む、請求項１〜６のいずれか一項に記載のシステム。
【請求項８】
前記換気装置のシステムは、バイレベルの陽圧換気装置を含む、請求項１〜７のいずれか一項に記載のシステム。
【請求項９】
前記ポートは、自己閉鎖弁を含む、請求項１〜８のいずれか一項に記載のシステム。
【請求項１０】
前記ポート内の弁は、少なくとも５ｍｍの幅にて開放するように構成されている、請求項１〜９のいずれか一項に記載のシステム。
【請求項１１】
前記弁は、前記マスク本体内に組み込まれている、請求項１〜１０のいずれか一項に記載のシステム。
【請求項１２】
前記弁は、圧縮空気のための流路内に組み込まれ、且つ、前記弁は、前記加圧空気の入口を介して前記キャビティへのアクスを提供するように構成されている、請求項１〜１１のいずれか一項に記載のシステム。
【請求項１３】
前記器具の前記アダプタは、前記器具の作動表面を収納する容器を含む、請求項１〜１２のいずれか一項に記載のシステム。
【請求項１４】
前記器具を鼻出血、鼻腔の潤滑化、鼻漏の処置、及び／または、氷によって冷却された水の供給、に利用する工程を備えた、請求項１〜１３のいずれか一項に記載の装置を使用する方法。
【請求項１５】
口腔ケアまたは鼻ケアを提供するための換気マスクであって、
キャビティを画定し、圧力下で着用者の顔に係合するように構成された周縁のシール部を有する、マスク本体と、
加圧空気を受容するように構成された、前記換気マスク内のポートと、
前記キャビティへの外部からの直接的なアクセスを提供するように構成された前記ポート内の自己閉鎖式のアクセス弁と、を備え、
前記アクセス弁は、少なくとも１０ｍｍの開放直径を有し、５００〜２５００Ｐａまたは５〜２５ｃｍＨ２Ｏの圧力下で自己閉鎖する、換気マスク。
【請求項１６】
前記弁は、１つ以上のスリットを形成する複数のリーフレットを含み、前記自己閉鎖は、前記リーフレットへの圧力によって前記スリットが閉鎖することによって生じる、請求項１５に記載の換気マスク。
【請求項１７】
前記スリットは、少なくとも１０ｍｍの長さを有する、請求項１６に記載の換気マスク。
【請求項１８】
１０ｃｍＨ２Ｏの圧力での前記弁の漏れ率は、毎分７０リットル未満である、請求項１５に記載の換気マスク。
【請求項１９】
前記アクセス弁は、前記マスク本体内に位置付けられている、請求項１５に記載の換気マスク。
【請求項２０】
前記アクセス弁は、前記換気マスクの前記本体に接続された空気供給コネクタ内に位置付けられ、
前記空気供給コネクタは、換気装置のシステムから前記換気マスクまで加圧空気を供給するように構成された空気供給管を含み、
前記アクセス弁は、前記コネクタの外部から、及び、前記空気供給管を通じて、前記マスクの前記キャビティへのアクセスを提供する、請求項１５に記載の換気マスク。
【請求項２１】
前記空気供給管は、旋回式の接続部によって前記マスクに接続されている、請求項２０に記載の換気マスク。
【請求項２２】
請求項１５に記載の換気マスクと、口腔ケア用器具と、前記口腔ケア用器具に操作可能に連結された器具アダプタと、を更に備え、
前記器具アダプタは、前記弁を開放するように当該弁を通じて挿入されるように、及び、当該弁を介して口腔キャビティへのアクセスを提供するように、構成されている、換気マスクシステム。
【請求項２３】
前記器具は、スクラブブラシ、吸引装置、吸入器、または噴霧器からなるグループから選択される、請求項２２に記載の換気マスクシステム。
【請求項２４】
口腔ケア用器具、及び、陽圧マスク内の弁を通じて前記口腔ケア用器具を挿入するための器具アダプタと、を備えた口腔ケアのモジュールであって、
前記器具アダプタは、
換気マスクの弁を通じて挿入されるように構成された挿入部、前記弁に係合され、それとの間でシールを生成するシール部、及び、前記器具アダプタを手動で操作するように構成された外側部、を有する本体と、
前記本体内に形成され、前記口腔器具の作動部を受容するように寸法決め及び構成された、容器と、を備え、
前記容器は、前記本体の前記挿入部内の第１開口と、前記第１開口とは反対の第２開口と、を有し、前記第１開口は、前記器具の前記作動部を通過させるように寸法決め及び構成され、前記第２開口は、前記器具のシャフトの周りにシールを提供するように寸法決め及び構成されている、モジュール。
【請求項２５】
前記第２開口は、柔軟な膜内に位置付けられている、請求項２４に記載のモジュール。
【請求項２６】
前記膜は、保持リングを用いて前記本体上に保持されている、請求項２５に記載のモジュール。
【請求項２７】
前記器具は、前記容器内に受容されるように構成された、スクラブブラシまたは毛を含む、請求項２５に記載のモジュール。
【請求項２８】
前記器具は、吸引装置を有する、請求項２７に記載のモジュール。
【請求項２９】
請求項２７に記載のモジュールと、
洗浄剤を含む洗浄流体と、を備えたキット。
【国際調査報告】
2018518350.tif 000012
2018518350.tif 000013
2018518350.tif 000014